(57)【要約】【課題】  トレーが出入りする為のフロント側開口に回転ドアを取付けたディスク装置であって、回転ドアの着脱を開口正面側から行うことが出来、回転ドアに取付けたコイルバネが外れても装置内部に混入しないようにしたディスク装置の提供。【解決手段】  回転ドア１２の正面板両側には支持部１４，１４を設けると共に該支持部先端には概略半円柱状をした軸１５，１５を外方向へ突出している。又正面板中央には係止部１７を設け、キャビネットのフロント板に設けた開口両側部にはガイド溝２２を形成したガイド部２０と軸穴２３を形成した保持部２１を設け、ガイド溝２２は軸穴２３と連通すると共にガイド溝２２は開口１９に繋がっている。しかも軸穴２３とガイド溝２２の境界は狭くなっていて、上記正面板１３に設けた係止部１７と開口側に設けた係止部２８にはコイルバネ３０の両端を連結している。【選択図】    図８
2005190551.tif 000002
【特許請求の範囲】
【請求項１】
トレーが出入りする為のフロント側開口に回転ドアを取付けたディスク装置において、回転ドアの正面板両側には支持部を設けると共に該支持部先端には概略半円柱状をした軸を外方向へ突出し、又正面板には係止部を設け、キャビネットのフロント板に設けた開口両側部にはガイド溝を形成したガイド部と軸穴を形成した保持部を設け、ガイド溝は軸穴と連通すると共にガイド溝は開口に繋がり、しかも軸穴とガイド溝の境界は狭くなっていて、回転ドアが開いた状態から更に開くことで概略半円柱状軸が所定の向きになった状態で通過する寸法に設定し、上記正面板に設けた係止部と開口側に設けた係止部にはコイルバネの両端を連結したことを特徴とする回転ドアを備えたディスク装置。
【請求項２】
上記支持部に外方向へ突出して設けた軸先端を正面板の両側端より内側とした請求項１記載の回転ドアを備えたディスク装置。
【請求項３】
上記正面板の裏面両側には、前進して開口から突出するトレーが当るガイド部を設けた請求項１、又は請求項２記載の回転ドアを備えたディスク装置。
【請求項４】
開口下縁から後方へ支持板を延ばし、支持板先端には遮蔽板を起立した請求項１、請求項２、又は請求項３記載の回転ドアを備えたディスク装置。
【発明の詳細な説明】
【技術分野】
【０００１】
本発明はトレーが出入りする為の入口に回転ドアを備えたディスク装置に関するものである。
【背景技術】
【０００２】
ＤＶＤなどのディスクにデータを記録する場合、又記録されているデータを再生する場合にはディスク記録再生装置が使用されるが、ターンテーブルにディスクを載置して高速回転する。そしてディスク上の情報トラックに情報読み取り用ビームが追従するようにトラッキング制御を行うと共に、情報トラックに正確にビームスポットを形成するようにフォーカス制御を行い、確実に情報の記録・再生が行われる。
【０００３】
ところで、ディスクをターンテーブルに載置するには、スライド前進・後退動するトレーが使用される場合が多く、キャビネットの正面パネルからスライドして突出するトレーにディスクを載せた状態で、該トレーが後退することで上記ターンテーブルに載置される。トレーはフロントパネルに形成した開口から出入りすることが出来る。
【０００４】
ところが、トレーが後退してディスク装置のフロント部開口が閉じた状態では、該開口とトレー間に隙間が発生する。すなわち、フロント部及びトレーの寸法誤差、トレーの取付け誤差などによって隙間が発生し、これがディスク装置の外観を損なうことになる。そこで、フロント部に形成している開口にドアを取付けて、隙間をなくすように構成したディスク装置が知られている。
【０００５】
図９は従来の回転ドア１の外観を示している。回転ドア１は長方形の正面板２の裏面両側に概略Ｌ型をした支持部３，３を設け、該支持部３，３の先端には軸４，４を外方向へ突出している。又、正面板２の裏面両側部には三角形をしたガイド部５，５を有し、開口から突出するトレー先端がガイド部５，５に当って回転ドア１が押し開かれる。
【０００６】
図１０は上記回転ドア１をディスク装置のフロント部トレー開口に取り付けた場合であり、(ａ)は背面図、(ｂ)は断面図を示している。フロント部７の内側であって開口の下方には軸受け６，６が設けられ、この軸受け６，６に軸４，４を取付けるには、両支持部３，３を内側へ撓ませて軸受け穴に嵌める。そして、一方の支持部３の係止部８にはコイルバネ９が取付けられ、該コイルバネ９はフロント部７の内側に設けた係止部１０と連結し、回転ドア１が常に閉じる方向にバネ力が付勢される。
【０００７】
図１１は回転ドア１が開いた場合を示しているが、トレーに押されて開く際には軸４，４を中心として回転ドア１が前方向に回転し、コイルバネ９は引き伸ばされる。このような取付け構造とする場合、上記コイルバネ９が係止部８，１０から外れたり、破損した際にはディスク装置の内部に混入して基板上の電子部品とコイルバネ９とが接触してショートする原因となる。また、回転ドア１の取付けはフロント部７の内側(背面側)から行わなくてはならず、しかも支持部３，３を内側へ大きく撓ませなくてはならない。この際に支持部３，３の撓み変形が大き過ぎて折れることがあり、さらに一旦取付けた回転ドアを取外すことも困難となり、メンテナンス上の問題も残される。
【０００８】
特開平１１−１４９６９０号に係る「ディスクドライブ装置における扉開閉機構」は、扉をフロントパネルに回動自在に支持し、可動側部材に支持されると共に扉の被操作部に接しこれを押圧することにより扉を回動させる操作部材を有し、操作部材が弾発手段を介して扉の被操作部と弾接するようにしている。
【０００９】
また、特開２００２−３３４５６６号に係る「ディスクプレーヤ」、特開２００３−５１１８１号に係る「ディスクプレーヤ」などが従来から知られているが、これらディスク装置の回転ドアは背面側から取付ける構造と成っている。すなわち、正面側開口から取付けることが出来ない為に不便であり、作業工数は高くなる。
【特許文献１】特開平１１−１４９６９０号に係る「ディスクドライブ装置における扉開閉機構」
【特許文献２】特開２００２−３３４５６６号に係る「ディスクプレーヤ」
【特許文献３】特開２００３−５１１８１号に係る「ディスクプレーヤ」
【発明の開示】
【発明が解決しようとする課題】
【００１０】
このように、従来のディスク装置には上記のごとき問題がある。本発明が解決しようとする課題はこれら問題点であり、支持部を内側へ撓ませることなく簡単に取付ることが出来、しかも回転ドアを閉じるようにバネ力を付勢するコイルバネが外れないように、仮に外れたり破損した際には装置内部に混入しないようにしたディスク装置を提供する。
【課題を解決するための手段】
【００１１】
本発明のディスク装置の回転ドアは正面板の裏面両側に支持部を設け、支持部先端には両側へ延びる軸を形成している。ここで、軸は円柱ではなく概略半円柱形状としている。そして正面板の下側裏面には係止部を設け、該係止部には回転ドアが閉じる方向へバネ力を付勢するコイルバネの一方端を係止して連結することが出来る。
【００１２】
キャビネットのフロント板にはトレーが出入りする開口が設けられ、開口の両側には回転ドアの軸を誘導するガイド溝を形成したガイド部、及びガイド部の先端には保持部を設けると共にガイド溝に連通した軸穴を形成している。そして、開口下側には、上記コイルバネの他端を係止する係止部、及び閉じたドアの位置決めを行うストッパー、コイルバネが外れた際に装置内部に入り込むことを防止する遮蔽板を有している。
【発明の効果】
【００１３】
本発明では、回転ドアを正面側開口から取付けることが出来、取付け作業は便利である。すなわち、開口両側に設けているガイド部に形成しているガイド溝に沿って軸を誘導し、ガイド部先端に設けている保持部の軸穴に嵌めることが出来る。軸穴は円形断面を成して概略半円柱軸は回転してドアは開閉することが出来る。
【００１４】
軸穴に嵌った概略半円柱形状の軸は、回転ドアの開閉動作の範囲内ではガイド溝へ進入することはなく、回転ドアの向きを所定の位置に定めない限り外れることはない。すなわち、ガイド溝と軸穴の境界寸法は軸穴の内径より小さく成っている為に、切欠かれた概略半円柱軸がガイド溝を通過する向きにして取付けられるために、その向きにならない限り外れることはない。
【００１５】
従って、メンテナンス時や回転ドアの表面がキズ付いたことで交換する際には、正面側から取外すことは可能である。一方、回転ドアが閉じるようにバネ力を付勢するコイルバネは、係止部から外れないように成っており、仮に外れても遮蔽板にて遮蔽される為に、ディスク装置内部に混入してショートすることはない。
【実施例】
【００１６】
図１は本発明のディスク装置を示している斜視図であり、トレー１１が開いている状態を示している。トレー１１の上面には円形の浅い溝が形成されていて、該溝にディスクが嵌ってセットされる。又下面側にはトレーラックが前後方向に設けられ、該トレーラックに沿って概略Ｌ型のトレーガイド溝を設けている。そしてトレーラックにはトレー開閉ギアが噛み合い、トレー開閉ギアの回転にてトレー１１は搬入・搬出される。
【００１７】
そして、本発明のディスク装置には回転ドア１２がフロント板開口に取付けられ、トレー１１が前進するならば同図に示すように開き、トレー１１が後退することで開口を閉じることが出来る。開口に取付けられた回転ドア１２は、閉じた際に該開口との間に隙間が残らないように閉じることが出来、ディスク装置の正面側外観を損なうことがないようにしている。
【００１８】
図２は回転ドア１２を示す斜視図であり、(ａ)は正面側を、(ｂ)は背面側を夫々表している。回転ドア１２は長方形の正面板１３の背面両側に概略Ｌ型をした支持部１４，１４を設けている。支持部１４，１４の先端には軸１５，１５を外方向へ突出している。ただし軸１５，１５の形状は円柱形状ではなく、断面が半円形の半円柱形状を成している。又、正面板１３の裏面両側には三角形をしたガイド部１６，１６が突出し、中央部下側には係止部１７を設け、該係止部１７には小さな穴１８を貫通している。
【００１９】
図３は回転ドアの(ａ)は背面図、(ｂ)は平面図、(ｃ)は正面図、(ｄ)は側面図、及びＡ−Ａ断面図、Ｂ−Ｂ断面図を表しており、回転ドア１２は樹脂を材質とした一体成形されている。
【００２０】
図４はトレー１１の前進・後退時における回転ドア１２の位置及び回転ドア１２の着脱時の位置を示している。トレー１１が(ａ)に示すように後退した場合には開口を閉じ、(ｂ)のようにトレー１１が前進して突出した場合には、トレー１１の先端が正面板１３に設けているガイド部１６，１６に当って開くことが出来る。トレー１１には後述するようにコイルバネが係止部１７に連結していて、コイルバネのバネ力によって常時閉じることが出来、トレー１１が突出することでコイルバネを引き伸ばして開くことが出来る。
【００２１】
そして、回転ドア１２はトレー１１の前進・後退動に伴って開閉するが開口から外れることなく、取外す場合には(ｃ)に示す位置にまで回転させなくてはならない。図５(ａ)〜(ｆ)は回転ドア１２の開口への取付け手順を示している。開口１９の両側にはガイド部２０及び保持部２１が設けられ、このガイド部２０にはガイド溝２２が、そして保持部２１には軸穴２３が設けられている。またガイド溝２２と軸穴２３とは連通していて、ガイド溝２２は開口１９と繋がっている。
【００２２】
そこで、(ａ)に示すように回転ドア１２をキャビネット２４のフロント板２５と平行に保持し、(ｂ)に示すように両支持部１４，１４を開口１９に挿入し、支持部先端に設けている軸１５，１５を開口１９からガイド溝２２，２２へ導き入れることが出来る。両軸１５，１５が開口１９に挿入出来るように、軸１５，１５の先端間距離は開口１９の横幅寸法に成っている。
【００２３】
ところで、軸１５は概略半円柱形状を成している為に、適当な向きに回転した状態でガイド溝２２に嵌入し、(ｃ)に示すようにガイド溝２２の底まで誘導することが出来る。そして、ガイド溝２２の底は軸穴２３と連通しているが、該軸穴２３に嵌める際も回転ドア１２の向きを調整した状態で行わなくてはならない。
【００２４】
すなわち、軸穴２３に嵌った軸１５が、回転ドア１２の開閉動作に際して軸穴２３から外れないように成っている。(ｅ)は軸１５が軸穴２３に嵌った状態で回転ドア１２が開いている場合を示している。すなわち、前記図４(ｂ)に示したようにトレー１１が前進して押し開かれた状態である。一方、(ｆ)はトレー１１が後退して回転ドア１２が閉じている場合を示している。
【００２５】
このように、回転ドア１２はトレー１１の前進・後退動に伴って、(ｅ)−(ｆ)の間を回転して開口１９を開閉することが出来る。ところで、回転ドア１２の開閉動作に伴って軸１５が軸穴２３から外れないように成っている。ガイド溝２２と軸穴２３との境界は狭くなっている為に、軸１５は所定の向きにならない限り軸穴２３から離脱することはなく、軸穴２３に嵌った状態で回転する。
【００２６】
そこで、回転ドア１２を開口１９から取外す場合には、トレー１１の前進に伴って回転ドア１２が開く(ｅ)の状態から、さらに回転した位置にて軸１５は軸穴２３から外れる。すなわち、(ｄ)に示す状態まで回転ドア１２を回転するならば、概略半円柱上の軸１５は狭くなっている境界２６を通過することが出来る。
【００２７】
図６はキャビネット２４の正面図を、図７はキャビネット２４の背面側(内側)を示している。開口の上縁にはストッパー２７が設けられ、回転ドア１２が閉じた際に正面板１３が当って停止する。そして、開口１９の両側下部にはガイド部２０，２０が、又開口１９の中央下部には係止部２８が設けられ、さらに、開口１９の下側には遮蔽板２９を沿設している。
【００２８】
回転ドア１２を開口１９に取付ける場合、トレー１１が後退すると共に該回転ドア１２が閉じるようにバネ力が付勢される。そこで、開口１９の中央に設けている係止部２８にコイルバネ３０の一方端を係止し、他方端は回転ドア１２の正面板１３中央に設けている係止部１７に係止して連結する。図８はコイルバネ３０を取付けて回転ドア１２が閉じている場合を示している。
【００２９】
開口側の係止部２８と回転ドア側の係止部１７に係止して連結したコイルバネ３０は外れ難く、しかも係止部２８，１７から外れたり、破損した場合であっても、係止部２８を設けている支持板３１の先端に遮蔽板２９が起立し、コイルバネ３０が装置内部へ混入することを防止している。支持板３１は開口１９のほぼ全幅にわたって設けられ、遮蔽板２９は係止部２８の両側に起立することで、外れたり破損したコイルバネ３０がディスク装置内部に混入することはない。そして、支持板３１は開口側を低くして傾斜しているために、回転ドア１２が開くと同時に外れたり破損したコイルバネ３０は該開口１９から転がり落ちる。
【図面の簡単な説明】
【００３０】
【図１】ディスク装置の正面側斜視図。
【図２】回転ドアの斜視図。
【図３】回転ドア。
【図４】トレーの前進・後退動に伴う回転ドアの動き。
【図５】回転ドアの取付け方法。
【図６】キャビネットの正面図。
【図７】キャビネットの背面図及び断面図。
【図８】回転ドアにコイルバネを取付けた場合。
【図９】従来の回転ドア。
【図１０】従来の回転ドアの取付け構造。
【図１１】従来の回転ドアが開いた場合。
【符号の説明】
【００３１】
11  トレー
12  回転ドア
13  正面板
14  支持部
15  軸
16  ガイド部
17  係止部
18  穴
19  開口
20  ガイド部
21  保持部
22  ガイド溝
23  軸穴
24  キャビネット
25  フロント板
26  境界
27  ストッパー
28  係止部
29  遮蔽板
30  コイルバネ
31  支持板
【図１】
2005190551.tif 000003
【図２】
2005190551.tif 000004
【図３】
2005190551.tif 000005
【図４】
2005190551.tif 000006
【図５】
2005190551.tif 000007
【図６】
2005190551.tif 000008
【図７】
2005190551.tif 000009
【図８】
2005190551.tif 000010
【図９】
2005190551.tif 000011
【図１０】
2005190551.tif 000012
【図１１】
2005190551.tif 000013